(57)【要約】【課題】音声再生装置側のスピーカーの周波数特性を考慮し、それに適した音声データの転送を行うことができる、音声再生装置を提供する。【解決手段】音声再生機能を有する携帯電話１０は、音声データを記憶する音声データ記憶部２１と、音声データ記憶部２１から読み出された音声データに基づき音声出力を行うスピーカー２６と、スピーカー２６の周波数特性に関する情報を記憶するスピーカー特性記憶部２２と、データの送受を行うための無線通信制御部２３と、音声データを受信するに際してスピーカー特性記憶部２２からスピーカーの周波数特性に関する情報を読出しこの情報を無線通信制御部２３からサーバーへ送信する。【選択図】      図２
2004177766.tif 000002
【特許請求の範囲】
【請求項１】
音声データに基づき音声再生を行う音声再生装置であって、
音声データを記憶する音声データ記憶手段と、前記音声データ記憶手段から読み出された音声データに基づき音声出力を行うスピーカーと、前記スピーカーの周波数特性に関する情報を記憶する特性記憶手段と、データの送受を行うための通信制御手段と、音声データを受信するに際して前記特性記憶手段からスピーカーの周波数特性に関する情報を読出しこの情報を前記通信制御手段から送信する音声データ転送制御手段とを含む、音声再生装置。
【請求項２】
前記音声再生装置は、前記スピーカーの周波数特性に応じて圧縮された音声データを前記通信制御手段を介して受け取り、受け取った音声データを前記音声データ記憶手段に記憶する、請求項１に記載の音声再生装置。
【請求項３】
前記圧縮された音声データは、前記スピーカーによって再生することができない周波数帯域の音声データを含まない、請求項１または２に記載の音声再生装置。
【請求項４】
前記音声再生装置はさらに、入力手段を含み、前記入力手段を介して前記スピーカーの周波数特性に関する情報を前記特性記憶手段に設定する、請求項１に記載の音声再生装置。
【請求項５】
通信機能を有する音声再生装置に音声データを転送する方式であって、
音声再生装置に含まれるスピーカーの周波数特性に関する情報を無線通信を介してサーバーに送出し、
前記サーバーから前記スピーカーの周波数特性に応じて圧縮された音声データを無線通信を介して前記音声再生装置に送出し、
前記音声再生装置において前記圧縮された音声データを受け取り、これを記憶部に格納する、音声データ転送方式。
【請求項６】
前記圧縮された音声データは、前記スピーカーによって再現される周波数帯域以外の音声データを含まない、請求項５に記載の音声データ転送方式。
【請求項７】
通信機能を有する音声再生装置と、前記音声再生装置と無線ネットワークを介して接続されたサーバーとを含む、音声データ転送システムであって、
前記音声再生装置は、スピーカーの周波数特性に関する情報を記憶する特性記憶部と、前記サーバーに対して音声データの転送を要求をするときに前記特性記憶部に記憶された前記スピーカーの周波数特性に関する情報を送信する転送制御部とを含み、
前記サーバーは、音声データを記憶する記憶部と、前記スピーカーの周波数特性に関する情報を受けたときに、そのスピーカーの周波数特性に応じて圧縮された音声データを前記音声再生装置に送出するデータ処理部とを含む、音声データ転送システム。
【請求項８】
前記サーバーのデータ処理部は、圧縮された音声データをさらに前記スピーカーの周波数特性に応じて圧縮する、請求項７に記載の音声データ転送システム。
【請求項９】
前記サーバーの前記記憶部は、スピーカーの周波数特性に応じた音声データを予め複数記憶し、前記データ処理部は、前記スピーカーの周波数特性に関する情報を受けたときに、前記記憶部の中から前記スピーカーの周波数特性を有する情報に対応する音声データを選択し、この音声データを送出する、請求項７に記載の音声データ転送システム。
【請求項１０】
前記音声再生装置は移動電話を含み、前記移動電話は、音声データを記憶するメモリを含み、前記サーバーからスピーカーの周波数特性に応じて圧縮された音声データを受けたとき、その圧縮された音声データを前記メモリに記憶させ、さらに前記移動電話は前記メモリから圧縮された音声データを読み出し、この音声データに基づきスピーカーから音声出力させる、請求項７ないし９いずれかに記載の音声データ転送システム。
【発明の詳細な説明】
【０００１】
【発明の属する技術分野】
本発明は、通信機能を有する音声再生装置およびこれを用いた音声データ転送方式ならびに転送システムに関する。
【０００２】
【従来の技術】
デジタル技術の進歩に伴い、デジタル化されたオーディオ信号を記録し、これを再生する音声再生装置が普及している。音声再生装置は、たとえば、ＣＤ（コンパクトディスク）、ＭＤ（ミニディスク）、ハードディスク、半導体メモリ等を音声記録媒体に用いたオーディオ装置や、これ以外にも音声再生機能を有する携帯電話等の移動端末もしくは移動電話、ナビゲーション装置、家電製品等、広汎な電子装置を含むものである。
【０００３】
車内システムでは、車載用オーディオ装置や車載用ナビゲーション装置において音声データを再生させることができる。車載用ナビゲーション装置には、ＨＤＤを内蔵させたものや、無線通信を介してネットワークに対応することが可能なネット対応ナビゲーション装置あるいは通信ナビゲーション装置が開発されている。
【０００４】
これらの音声再生装置の小型化に伴い、その携帯性、可搬性が高まってくると、無線通信を介して音声データを入手する必要が生じる。音楽データをＣＤからそのままサンプリングしてＨＤＤ等の記憶部に保存するとデータ容量が大きくなってしまい、また通信による転送時間も長くなってしまう。このため、音声データの転送を行う場合には、広くデータの圧縮が行われている。現在広く使われている圧縮方法は、ＭＰ３、ＷＭＡ、ＡＴＲＡＣ３などである。
【０００５】
これらの圧縮方法は、人間の知覚を計算する“知覚符号化”という方式を利用するものである。人間の聴覚には、聴き取ることができる音の範囲があり、状況によりある種の音は聴き取りにくく、通常、２０Ｈｚ〜２０ＫＨｚの範囲以外はほとんど聴き取ることができない。また、大きな音の直後に小さな音がしても聴き取りにくい。このような人間の聴覚が聴き取りにくい音を排除することで、人間の耳には違和感を与えることなく、音声データを圧縮している。
【０００６】
他方、例えば特許文献１には、無線ネットワークを利用して情報サーバーから必要な情報を取得する技術が開示されている。この技術は、データの伝送効率および操作性を向上させるために端末とネットワークとの間にエージェントサーバーなるものを用いるものである。
【０００７】
【特許文献１】
特開平１０−９１５６２号公報
【０００８】
【発明が解決しようとする課題】
しかしながら従来の音声再生装置において音声データを受信する場合、音声データの圧縮は、音声データを受ける側（音声再生装置する側）の特性を考慮したものではなく、必ずしもその伝送効率が優れているものではなかった。音声再生装置側のスピーカーが、サンプリングされたデータのすべてを表現できるわけではない。例えば、携帯電話にＭＰ３により圧縮された音声データを転送しても、携帯電話に設置されたスピーカーで音楽を再生する場合、そのスピーカーの周波数特性（ｆ特性）を考慮すると、すべての音を表現することはできない。図５は、ＭＰ３により圧縮された音声データとスピーカーの周波数特性との関係の一例を示す図であり、縦軸に音声データ量を、横軸に周波数を示す。ＭＰ３により圧縮された音声データ（図中の縦軸方向の棒グラフ）は、２０Ｈｚ〜２０ＫＨｚの範囲においてオリジナル音源に限りなく近く圧縮されているが、携帯電話等のスピーカーによって再現できる音源は、おおよそ１００Ｈｚ〜７ＫＨｚの範囲Ｓである。
【０００９】
このようなことは携帯電話のスピーカーに限ったことではなく、各種の音声再生機能を有する電子装置のスピーカーについても同様のことが当てはまる。つまり、従来の音声データの圧縮は、再生させる装置側のスピーカーの特性を考慮するものではなく、それによって表現することができない音声データを含むものであり、伝送効率の向上を図る上でなお改善の余地がある。特に、データ転送速度が低速である場合には、音声データの受信に必要以上の時間を要することになってしまう。
【００１０】
そこで本発明は上記従来の課題を解決し、音声再生装置側のスピーカーの周波数特性を考慮し、それに適した音声データの転送を行うことができる、音声再生装置、音声データ転送方法および音声データ転送システムを提供することを目的とする。
【００１１】
【課題を解決するための手段】
本発明に係る、音声データに基づき音声の再生を行う音声再生装置であって、以下の構成を含む。音声データを記憶する音声データ記憶手段と、前記音声データ記憶手段から読み出された音声データに基づき音声出力を行うスピーカーと、前記スピーカーの周波数特性に関する情報を記憶する特性記憶手段と、データの送受を行うための通信制御手段と、音声データを受信するに際して前記特性記憶手段からスピーカーの周波数特性に関する情報を読出しこの情報を前記通信制御手段から送信する音声データ転送制御手段とを含むものである。これにより、スピーカーの周波数特性に応じて圧縮された音声データの転送が可能となり、音声データの伝送効率を装置毎に改善することができる。特に、データ通信速度が低いときにはその効果は著しい。さらに音声再生装置の音声データを記憶する記憶部の容量を実質的に軽減することができる。
【００１２】
本発明に係る、通信機能を有する音声再生装置に音声データを転送する方式は、以下のステップを含む。音声再生装置に含まれるスピーカーの周波数特性に関する情報を無線通信を介してサーバーに送出するステップと、前記サーバーから前記スピーカーの周波数特性に応じて圧縮された音声データを無線通信を介して前記音声再生装置に送出するステップと、前記音声再生装置において前記圧縮された音声データを受け取り、これを記憶部に格納するステップとを含む。これにより音声再生装置のスピーカーの周波数特性に対応して圧縮された音声データを転送することができ、転送時間を短縮することが可能となる。
【００１３】
本発明に係る、通信機能を有する音声再生装置と、前記音声再生装置と無線ネットワークを介して接続されたサーバーとを含む、音声データ転送システムは、以下の構成を有する。前記音声再生装置は、スピーカーの周波数特性に関する情報を記憶する特性記憶部と、前記サーバーに対して音声データの転送を要求をするときに前記特性記憶部に記憶された前記スピーカーの周波数特性に関する情報を送信する転送制御部とを含み、前記サーバーは、音声データを記憶する記憶部と、前記スピーカーの周波数特性に関する情報を受けたときに、そのスピーカーの周波数特性に応じて圧縮された音声データを前記音声再生装置に送出するデータ処理部とを含む。
【００１４】
【発明の実施の形態】
以下、本発明の実施の形態について図面を参照して説明する。図１は、本実施の形態に係る音声データ転送システムを示す図である。同図において、本実施形態に係る音声データ転送システムは、携帯電話１０、ＰＣ端末１１、車載用ナビゲーション装置１２、および車載用オーディオ装置１３と、無線ネットワーク１４と、サーバー１５とを有する。携帯電話１０、ＰＣ端末１１、車載用ナビゲーション装置１２、および車載用オーディオ装置１３は、それ自身において音声データを再生する音声再生機能を有し、かつサーバー１５と無線ネットワークを介してデータ転送を行う通信機能を有している。以後、携帯電話１０を例に用い、サーバー１５から携帯電話１０へ音声データが転送される例を説明する。
【００１５】
図２は、本実施の形態に係る携帯電話の内部構成を示すブロック図であり、ここでは携帯電話における音声データの転送制御および音声データの再生に関する部分を示している。携帯電話１０は、音声データを記憶する音声データ記憶部２１と、スピーカーの周波数特性に関する情報を記憶するスピーカー特性記憶部２２と、無線ネットワークを介してデータの送受信を制御する無線通信制御部２３と、ユーザからの指示を入力する入力部２４と、音声データを再生する音声データ再生部２５と、再生された音声データを音声出力するスピーカー２６と、携帯電話の状態やユーザからの入力等を表示する表示部２７と、携帯電話の各部を制御する制御部２８とを含む。
【００１６】
音声データ記憶部２１は、例えばフラッシュメモリ等の不揮発性メモリが用いられ、オリジナル音源をサンプリングした音声データ（音楽データを含む）や、サーバー１５から転送されてきた圧縮された音声データ等を記憶する。スピーカー特性記憶部２２は、携帯電話１０に設けられているスピーカー２６の周波数特性に関する情報を記憶する。好ましくは、スピーカー２６が再現できる音源の周波数範囲（例えば、１００Ｈｚ〜７ＫＨｚ）を示す情報である。あるいはこれ以外に、スピーカー２６の性能を示す段階的な情報として、例えば、“１”が広い周波数レンジの音源を再現可能、“２”が中程度の周波数レンジの音源を再現可能、“３”が小程度の周波数レンジの音源を再現可能、であるような情報を記憶するようにしてもよい。無線通信制御部２３は、公知の通信プロトコルを用い無線ネットワーク１４を介してサーバー１５とのデータ通信を制御する。
【００１７】
入力部２４は、携帯電話１０に設けられている入力ボタン等によって入力インターフェースを構成する。ユーザは、入力ボタンを介して、必要な情報を入力したり、携帯電話に指示を与えたり、あるいは、携帯電話に含まれるいくつかの機能を実行させることができる。入力部２４からの入力信号は制御部２８に送られ、そこで入力信号に応じた制御がなされる。本実施の形態では、ユーザが入力ボタンを操作することで、スピーカー特性記憶部２２の周波数特性に関する情報を設定することができる。入力ボタンにより音声データ転送のプログラムが起動されると、表示部２７に、スピーカーの周波数特性に関する情報を入力する旨の画面が表示される。ユーザはこれに従い、例えば、スピーカー２６の周波数特性（再現可能な周波数の範囲）やスピーカーの性能を示す段階的な情報を設定する。この場合、予め選択すべきデータを格納したテーブルを用意し、対話形式によりテーブルの中から所望のデータをユーザに選択させるようにしてもよい。
【００１８】
音声再生部２５は、音声データ記憶部２１から読み出された音声データを必要に応じて伸張あるいはデコードし、音声デジタル信号をアナログ信号に変換する。スピーカー２６は、音声再生部２５によりアナログに変換された音声信号に従い、音声出力を行う。
【００１９】
図３にサーバー１５の内部構成を示す。同図に示すように、サーバー１５は、無線ネットワーク１５を介してデータの送受を行うデータ入出力部３１と、携帯電話等の音声再生装置の端末情報を解析する端末情報解析部３２と、転送するべくデータの選択、圧縮、変換等の処理を行うデータ処理部３３と、音声データのデータベースを構築する音声データ記憶部３４とを含む。
【００２０】
次に、音声データの転送について図４のフローチャートを参照しその動作を説明する。ユーザから携帯電話１０に対して、サーバー１５から音声データをダウンロードする旨の指示が入力部２４を介して成される（ステップＳ１０１）。制御部２８は、音声データ転送の指示入力を受けると無線通信制御部２３を制御し、無線通信制御部２３は転送要求信号および携帯電話１０の識別情報（ＩＤ情報）を送出する（ステップＳ１０２）。転送要求信号およびＩＤ情報は無線ネットワーク１４を介してサーバー１５のデータ入出力部３１に受け取られる。受け取られた転送要求信号およびＩＤ情報は端末情報解析部３２に出力され、ここでＩＤ情報が解読される。ＩＤ情報が、予め登録されたユーザ情報と比較され、一致する場合には正規なユーザであると判定され、一致しない場合には不正なアクセスであるとして拒否される。正規なユーザであると判定された場合には、端末情報解析部３２から許可信号が出力され、この許可信号がデータ入出力部３１により携帯電話１０に送出される（ステップＳ１０３）。
【００２１】
許可信号が無線通信制御部２３を介して制御部２８に伝達されると、制御部２８は、楽曲の入力を促す指示を表示部２７に表示する。併せて、スピーカー２６から音声による入力ガイダンスを行うようにしても良い。ユーザから入力部２４を介して所望の楽曲の指示が入力されると（ステップＳ１０４）、次いで制御部２８は、スピーカーの周波数特性に応じた音声データの圧縮を希望するか否かをユーザに問い合わせる（ステップＳ１０５）。これは上記と同様に、表示部２７および／またはスピーカー２６からユーザに入力を促す。ユーザから音声データの圧縮を希望する旨の入力があった場合には、制御部２８はスピーカー特性記憶部２２に記憶されたスピーカーの周波数特性に関する情報を読出し（ステップＳ１０６）、転送すべき楽曲を示す情報（以下、楽曲情報）に加えて、スピーカーの周波数特性に関する情報をサーバー１５に送る（ステップＳ１０７）。他方、ユーザが音声圧縮を希望しない場合には、楽曲情報がサーバー１５に送られる（ステップＳ１０７）。
【００２２】
楽曲情報およびスピーカーの周波数特性に関する情報がデータ入出力部３１に受け取られ、これらの情報は端末情報解析部３２によって解読される。解読結果は、データ処理部３３に伝達され、データ処理部３３は、楽曲情報に対応する音声データを音声データ記憶部３４から読み出す。このとき、スピーカーの周波数特性に関する情報が含まれている場合には、その周波数特性に応じて音声データを圧縮する（ステップＳ１０８）。例えば、携帯電話側のスピーカー２６が再現できる音源の周波数範囲が１００Ｈｚ〜７ＫＨｚである場合、データ処理部３３は、その周波数範囲に含まれない帯域の音声データをカットする。データ処理部３３は、音声データをＭＰ３などの手法により圧縮し、この圧縮されたデータをスピーカー特性に応じてさらに圧縮しても良いし、あるいは、スピーカー特性による圧縮だけを行うようにしても良い。
【００２３】
上記とは別にスピーカーの周波数特性に関する情報が、スピーカー２６の性能を示す段階的な情報（例えば“３”の小程度の周波数レンジの音源を再現可能）であるような場合には、予め設定された周波数レンジ内に音声データが含まれるように音声データを変換するようにしてもよい。この場合、データ処理部３３が音声データの変換処理を行っても良いが、これ以外にも、予めいくつかの異なる周波数レンジ（大、中、小の周波数レンジ）の圧縮された音声データを音声データ記憶部３４に用意しておき、その中から対応する音声データを選択するようにしても良い。
【００２４】
圧縮された音声データがデータ入出力部３１を介して携帯電話１０に送出され（ステップＳ１０９）、この音声データが無線通信制御部２５を介して受け取られ、音声データ記憶部２１に記憶される（ステップＳ１１０）。制御部２８は、さらに転送すべき楽曲があるか否かを表示部２７に表示させる（ステップＳ１１１）。ユーザから転送すべき楽曲がある旨の指示がある場合には、ステップＳ１０４からの処理が再び続行され、転送すべき楽曲がない場合には音声データの転送フローが終了される。
【００２５】
このように本実施の形態によれば、音声再生装置側のスピーカーの特性に応じて音声データを圧縮し、それを転送するようにしたので、非常に効率の良いデータ転送を行うことができる。特に、データ転送の通信速度が低い場合に、スピーカーの特性に不適合な音声データを削除することで、転送時間を大幅に短縮することができる。さらに、携帯電話１０の音声データ記憶部２１のデータ容量を軽減することができ、小型化、薄型化を図ることができる。
【００２６】
従来技術であれば、仮に、ＣＤをそのままサンプリングしたときの５分あたりのデータ（１曲分に相当）が５０ＭＢであり、かつ、転送する回線が６４Ｋｂｐｓでこのデータをそのまま転送すると、転送時間は１曲あたり約１００分かかる。
６４Ｋｂｐｓ＝６４×１０２４÷８＝８１９２Ｂ／秒＝８ＫＢ／秒
１０２４／８×５０＝１２８０秒（約１００分）
現行のＭＰ３の圧縮を行った場合、データ容量は約１／１０に圧縮が可能であるため、データ転送時間は１０分程度で済む。ここでさらに本実施の形態のように、スピーカー特性に応じた圧縮または変換をすれば、さらに転送時間の短縮を見込むことが可能となる。
【００２７】
今後、ネットワークや電話回線網などの通信を利用した音楽データの配信を考慮すると、携帯端末あるいは移動端末側のスピーカーの周波数特性に合わせて音声データを送ることで、手軽に最新の音楽データを入手することができる。
【００２８】
以上、本発明の好ましい実施の形態について詳述したが、本発明は係る特定の実施形態に限定されるものではなく、特許請求の範囲に記載された本発明の要旨の範囲内において、種々の変形・変更が可能である。
【００２９】
上記実施の態様では、音声データの転送に際して、ユーザがスピーカーの周波数特性に関する情報を入力指示する例を説明したが、これ以外にも、ユーザからの入力指示を要することなくデフォルト状態で所定の周波数特性に関する情報が送出されるようにしてもよい。さらに上記実施の態様では、ユーザが音声データの圧縮を希望するか否かを入力指示するようにしたが、これ以外にも、ユーザからの入力指示をようすることなくデフォルト状態で音声データの圧縮を希望するようにしてもよい。
【００３０】
さらに上記実施態様では、携帯電話１０を例に用いたが、勿論、図１に示すＰＣ端末１１、車載用ナビゲーション装置１２、車載用オーディオ装置１３にも適用することができ、これら以外にも音声再生機能および通信機能を有するすべての電子機器に本発明を適用することが可能である。さらに、音声データを記憶する記憶媒体としては書き込み可能な記憶媒体であればよい。ハードディスク、半導体メモリ、ＤＶＤ等を用いることが可能である。
【００３１】
【発明の効果】
以上説明したように、本発明によれば音声再生装置側のスピーカーの周波数特性に応じて音声データの圧縮を可能にし、この音声データの転送を行うようにしたので、従来と比べて、音声データの圧縮を効率よく行うことができ、音声データの転送速度の向上を図ることができる。同時に、音声再生装置側の音声データを記憶する記憶部の容量を軽減することができ、携帯性、可搬性を要求される電子装置をより小型化、薄型化することができる。
【図面の簡単な説明】
【図１】図１は本発明の実施の形態に係る音声データ転送システムを示す図である。
【図２】図２は本実施の形態に係る携帯電話の要部の構成を示すブロック図である。
【図３】図３は本実施の形態に係るサーバーの構成を示すブロック図である。
【図４】図４は音声データ転送の動作を示すフローチャートである。
【図５】図５は音声データとスピーカーの周波数特性との関係を示す図である。
【符号の説明】
１    転送システム                １０  携帯電話
１２  車載用ナビゲーション装置    １３  車載用オーディオ装置
１５  サーバー                    ２１  音声データ記憶部
２２  スピーカー特性記憶部        ２３  無線通信制御部
２４  入力部                      ２５  音声再生部
２６  スピーカー                  ２８  制御部
３１  データ処理部                ３２  端末情報解析部
３３  データ処理部
【図１】
2004177766.tif 000003
【図２】
2004177766.tif 000004
【図３】
2004177766.tif 000005
【図４】
2004177766.tif 000006
【図５】
2004177766.tif 000007